【手続補正書】
【提出日】平成23年4月21日(2011.4.21)
【手続補正１】
【補正対象書類名】特許請求の範囲
【補正対象項目名】全文
【補正方法】変更
【補正の内容】
【特許請求の範囲】
【請求項１】
印刷ジョブが完了する毎に該印刷ジョブのジョブ履歴を格納するジョブ履歴格納手段と、
印刷装置で印刷する毎にカウンタ記録手段に記録されるカウンタ情報をカウントアップするカウントアップ手段と、
予め設定された集計のタイミングにおいて実行中の印刷ジョブを複数のジョブ履歴として、分割して管理する管理手段と、
を有することを特徴とする印刷装置。
【請求項２】
前記管理手段は、
前記集計タイミングにおいて実行中の印刷ジョブを一時停止する一時停止手段と、
前記印刷ジョブの一時停止するまでの実行情報に基づいて、前記集計タイミングまでの処理に基づくジョブ履歴を生成する第１の生成手段と、
前記印刷ジョブを再開する再開手段と、
前記再開手段により再開された印刷ジョブの処理が完了した後に、前記集計タイミングの後の処理に基づくジョブ履歴を生成する第２の生成手段と、
を有することを特徴とする請求項１に記載の印刷装置。
【請求項３】
前記第２の生成手段は、前記ジョブ履歴格納手段に格納される該印刷ジョブのジョブ履歴の印刷枚数から前記集計タイミングまでの処理に基づくジョブ履歴の印刷枚数を減算した値を、前記集計タイミングの後の処理に基づくジョブ履歴の印刷枚数とすることを特徴とする請求項２に記載の印刷装置。
【請求項４】
前記管理手段は、前記ジョブ履歴格納手段に格納される前記集計タイミングにおいて実行中であった印刷ジョブのジョブ履歴を、前記印刷ジョブの開始から前記集計タイミングまでの時間と前記集計タイミングから前記印刷ジョブの終了までの時間の比率に応じて按分するように前記ジョブ履歴を分割して管理することを特徴とする請求項１に記載の印刷装置。
【請求項５】
前記管理手段は、前記集計タイミングにおいて実行中であった印刷ジョブの印刷枚数及び印刷面数を、前記比率に応じて按分するように前記ジョブ履歴を分割して管理することを特徴とする請求項４に記載の印刷装置。
【請求項６】
印刷ジョブが完了する毎に該印刷ジョブのジョブ履歴をジョブ履歴格納手段に格納するジョブ履歴格納ステップと、
カウントアップ手段が、印刷装置で印刷する毎にカウンタ記録手段に記録されるカウンタ情報をカウントアップするカウントアップステップと、
分割手段が、予め設定された集計のタイミングにおいて実行中の印刷ジョブを複数のジョブ履歴として、分割して管理する管理ステップと、
を有することを特徴とする印刷管理方法。
【請求項７】
前記管理ステップは、
前記集計タイミングにおいて実行中の印刷ジョブを一時停止する一時停止ステップと、
前記印刷ジョブの一時停止するまでの実行情報に基づいて、前記集計タイミングまでの処理に基づくジョブ履歴を生成する第１の生成ステップと、
前記印刷ジョブを再開する再開ステップと、
前記再開ステップにより再開された印刷ジョブの処理が完了した後に、前記集計タイミングの後の処理に基づくジョブ履歴を生成する第２の生成ステップと、
を有することを特徴とする請求項６に記載の印刷管理方法。
【請求項８】
前記第２の生成ステップは、前記ジョブ履歴格納手段に格納される該印刷ジョブのジョブ履歴の印刷枚数から前記集計タイミングまでの処理に基づくジョブ履歴の印刷枚数を減算した値を、前記集計タイミングの後の処理に基づくジョブ履歴の印刷枚数とすることを特徴とする請求項７に記載の印刷管理方法。
【請求項９】
前記管理ステップは、前記ジョブ履歴格納手段に格納される前記集計タイミングにおいて実行中であった印刷ジョブのジョブ履歴を、前記印刷ジョブの開始から前記集計タイミングまでの時間と前記集計タイミングから前記印刷ジョブの終了までの時間の比率に応じて按分するように前記ジョブ履歴を分割して管理することを特徴とする請求項６に記載の印刷管理方法。
【請求項１０】
前記管理ステップは、前記集計タイミングにおいて実行中であった印刷ジョブの印刷枚数及び印刷面数を、前記比率に応じて按分するように前記ジョブ履歴を分割して管理することを特徴とする請求項９に記載の印刷管理方法。
【請求項１１】
請求項６乃至１０のいずれか１項に記載された印刷管理方法をコンピュータに実行させるためのプログラム。
【手続補正２】
【補正対象書類名】明細書
【補正対象項目名】００１０
【補正方法】変更
【補正の内容】
【００１０】
例えば、１ジョブ１００ページの文書の印刷が開始され、７０ページ排紙された時点でカウンタに対する締め時刻が来ると、排紙が終了した７０ページについて、課金カウンタは増加しているが、ジョブは終了していないため、ジョブ履歴には当該ジョブの実績は計上されていない。したがって、課金カウンタの増分とジョブ履歴の総和が７０カウントずれることになる。
【手続補正３】
【補正対象書類名】明細書
【補正対象項目名】００５１
【補正方法】変更
【補正の内容】
【００５１】
４０９は用紙選択ボタンであり、用紙の給紙元を指定するボタンである。４１０は仕上げボタンであり、ソートを実行するか否か、フィニッシングなどを指定するボタンである。
【手続補正４】
【補正対象書類名】明細書
【補正対象項目名】００６３
【補正方法】変更
【補正の内容】
【００６３】
５０６は集計部で、定期的に、例えば月に一回、予め定められた時刻に、データ保持部５０５に保持される課金カウンタを取得、及びジョブ履歴を走査し、ユーザごとの対象期間の印刷ページ数（以下集計表とする）を算出する。ここで、予め定められた時刻（集計タイミング）は、ＵＩ部１０８で直接設定される場合と、ネットワークを介してクライアントＰＣ５１２より設定される場合とを含む。
【手続補正５】
【補正対象書類名】明細書
【補正対象項目名】００６５
【補正方法】変更
【補正の内容】
【００６５】
５１２はクライアントＰＣであり、ユーザはアプリケーションを操作し、ＭＦＰ５０１に印刷要求を送ったり、インターネットブラウザを使用して、ジョブ履歴、集計表を参照したりすることが可能である。なお、上述の構成はあくまでもシステムの一例である。
【手続補正６】
【補正対象書類名】明細書
【補正対象項目名】００９１
【補正方法】変更
【補正の内容】
【００９１】
なお、上記Ｓ７０９で再開されたジョブは、ジョブが完了すると、そのジョブ履歴が、コントローラ制御部５０９によりジョブ履歴格納部５１０に格納されることとなる。即ち、ジョブ履歴格納部５１０では、１つの印刷ジョブのジョブ履歴は分割されず１つのジョブ履歴として格納される。このタイミングで、ジョブ履歴管理アプリケーション５０３は、このジョブ履歴をジョブ履歴格納部５１０から読み込み、図８のＳ７０６で分割されてデータ保持部５０５に登録されたジョブ履歴の後半のジョブ履歴（２／２）を生成し（第２の生成）、データ保持部５０５に登録する。
【手続補正７】
【補正対象書類名】明細書
【補正対象項目名】００９４
【補正方法】変更
【補正の内容】
【００９４】
ジョブ履歴管理アプリケーション５０３は、自らがデータ保持部５０５に登録していないジョブ履歴がジョブ履歴格納部５１０に記録されたことを検知すると、本フローチャートの処理を開始する。なお、検知方法としては、コントローラ制御部５０９によって新たなジョブ履歴がジョブ履歴格納部５１０に記録される度に、ジョブ履歴管理アプリケーション５０３が、コントローラ制御部５０９から通知を受けられるようコントローラ制御部５０９に依頼をしておいてもよい。また、ジョブ履歴管理アプリケーション５０３がポーリングにより（即ち定期的にジョブ履歴格納部５１０を参照することにより）新たなジョブ履歴がジョブ履歴格納部５１０に記録されたことを検知するようにしてもよい。
【手続補正８】
【補正対象書類名】明細書
【補正対象項目名】００９７
【補正方法】変更
【補正の内容】
【００９７】
なお、ジョブ履歴収集部５０４は、データ保持部５０５にジョブ履歴を登録する際に、どのジョブ履歴記録番号Ｂまでをデータ保持部５０５に登録したかを、データ保持部５０５に記録しておくものとする。
【手続補正９】
【補正対象書類名】明細書
【補正対象項目名】０１０６
【補正方法】変更
【補正の内容】
【０１０６】
次に、Ｓ９０５において、ジョブ履歴収集部５０４は、ジョブ履歴の排紙枚数、面数（ページ数）について、Ｓ９０２で取り出されたジョブ履歴からＳ９０４でデータ保持部５０５から取得したジョブ履歴で対応する分を減ずる処理（減算処理）を行う。例えば、Ｓ９０２で取り出したジョブ履歴の状態を図１３とし、Ｓ９０４で取得した先行登録ジョブのジョブ履歴の状態を図１１とすると、Ｓ９０５の減算処理は「１００−７０」となり、ジョブ履歴の印刷枚数は「３０」となる。なお、面数についても同様とする。
【手続補正１０】
【補正対象書類名】明細書
【補正対象項目名】０１３６
【補正方法】変更
【補正の内容】
【０１３６】
例えば、時分のみに注目すると、Ｓ１４０２で取り出したジョブ履歴の開始時刻が「１５：３０」で終了時刻が「１６：２０」分、区切り時刻が「１６：００」であれば、開始時刻である「１５：３０」と終了時刻である「１６：２０」の間に区切り時刻「１６：００」が含まれる。
【手続補正１１】
【補正対象書類名】明細書
【補正対象項目名】０１４０
【補正方法】変更
【補正の内容】
【０１４０】
例えば、ジョブ履歴の開始時刻が「１５：３０」、終了時刻が「１６：２０」、排紙枚数が「１００」、面数が「１００」、区切り時刻が「１６：００」であれば、上記（１），（２）式より、第１のジョブ履歴の排紙枚数は「６０」、第２のジョブ履歴の排紙枚数は「４０」と算出される。また同様に、第１のジョブ履歴の面数は「６０」、第２のジョブ履歴の面数は「４０」と算出される。なお、ジョブ履歴収集部５０４は、第１のジョブ履歴の終了時刻を区切り時刻（集計タイミング）とし、第２のジョブ履歴の開始時刻を区切り時刻（集計タイミング）とする。
【手続補正１２】
【補正対象書類名】明細書
【補正対象項目名】０１４２
【補正方法】変更
【補正の内容】
【０１４２】
一方、Ｓ１４０３で設定された区切り時刻が含まれていないと判定した場合には、Ｓ１４０６へ進む。Ｓ１４０６においてジョブ履歴収集部５０４は、Ｓ１４０２で取り出したジョブ履歴をそのままデータ保持部５０５に記録する。
【手続補正１３】
【補正対象書類名】明細書
【補正対象項目名】０１４４
【補正方法】変更
【補正の内容】
【０１４４】
Ｓ１４０７において、まだ未処理のジョブ履歴があると判定した場合には、ジョブ履歴収集部５０４は、Ｓ１４０２に処理を戻し、次のジョブ履歴に処理対象を移行させる。
【手続補正１４】
【補正対象書類名】明細書
【補正対象項目名】０１５８
【補正方法】変更
【補正の内容】
【０１５８】
プログラムを供給するための記憶媒体としては、例えばフレキシブルディスク、ハードディスク、光ディスク、光磁気（ｍａｇｎｅｔｏ  ｏｐｔｉｃａｌ：ＭＯ）ディスク、ＣＤ−ＲＯＭ、ＣＤ−Ｒ、ＣＤ−ＲＷ、磁気テープ、不揮発性のメモリカード、ＲＯＭ、ＤＶＤなどを用いることができる。